(57)【特許請求の範囲】
【請求項１】
送信端と、受信端と、これら送信端と受信端との間の非透過的な回路切り換え高速多重チャンネルデータ接続部と、多重チャンネルデータ接続の最大ユーザデータ送信レートがＮ×ＲであるようにＮ個のトラフィックチャンネルを有する上記高速多重チャンネルデータ接続部を経て所定の順序でデータフレームを送信し、該フレームに含まれた順序情報に基づいて受信したデータフレームの順序をチェックし、適切に受信したデータフレームの確認を行い、そして誤った又は欠落したデータフレームの再送信を行うようにするデータ流制御プロトコルを備えており、Ｎは２に等しいか、またはそれより大きい整数であり、Ｒは個々のトラフィックチャンネルのユーザデータレートであるようなデジタルデータ送信システムにおいて、上記送信端は、Ｎ個のトラフィックチャンネルを有する上記多重チャンネル接続を通してデータフレームを上記受信端へ送信するように構成されており、上記受信端は、次々の受信データフレームの２つに含まれた順序情報に基づき欠落データフレームを検出した際に、その欠落データフレームに対する再送信要求を、該欠落したフレームの検出後、Ｎ個の更なるフレームを受信するのに必要とされる時間に等しいか、またはそれより長い所定の時間期間内に該欠落したフレームが受け取られない場合に、送信するように構成されたことを特徴とするデジタルデータ送信システム。
【請求項２】
上記データ送信システムは、多重アクセス移動通信システムである請求項１に記載のシステム。
【請求項３】
上記受信端は、上記送信端によって使用されるトラフィックチャンネルの数に従って上記時間期間を設定するようにされている請求項１に記載のシステム。
【請求項４】
上記受信端は、該受信端が欠落したデータフレームに対する再送信要求を、その検出後次のＮ１個のデータフレームの間で該欠落したデータフレームが受け取られない場合に、送信するように構成されるように上記時間期間を受信されるフレームの数として定めるようにされており、Ｎ１はＮに等しいか、またはそれより大きい請求項１に記載のシステム。
【請求項５】
上記時間期間は、受信フレームをカウントすることによって定められる請求項１に記載のシステム。
【請求項６】
上記送信端は、移動ステーションのターミナル適応ファンクションであり、そして上記受信端は、移動通信ネットワークのインターワーキングファンクションである請求項１から３のうちのいずれか１項に記載のシステム。
【請求項７】
上記送信端は、移動通信ネットワークのインターワーキングファンクションであり、そして上記受信端は、移動ステーションのターミナル適応ファンクションである請求項１から３のうちのいずれか１項に記載のシステム。
【請求項８】
上記受信端は、上記時間期間を測定するタイマーを備えており、該タイマーは、欠落したデータフレームが検出されたときにスタートされ、上記受信端は、上記欠落したフレームが上記タイマーの経過する前に受け取られない場合に再送信要求を送信するようにされている請求項１から３または６から７のうちのいずれか１項に記載のシステム。
【請求項９】
上記時間期間は、３０ｍｓである請求項１に記載のシステム。
【請求項１０】
多重チャンネルデータ接続の最大ユーザデータ送信レートがＮ×ＲであるようにＮ個のトラフィックチャンネルを有する非透過的な回路切り換え高速多重チャンネルデータ接続部を経て所定の順序でデータフレームを送信し、該フレームに含まれた順序情報に基づいて受信したデータフレームの順序をチェックし、適切に受信したデータフレームの確認を行い、そして誤った又は欠落したデータフレームの再送信を行うようにするデータ流制御プロトコルを備え、Ｎは２に等しいか、またはそれより大きい整数であり、Ｒは個々のトラフィックチャンネルのユーザデータレートであるようなデジタルデータ送信システムのための通信装置において、該通信装置は、Ｎ個のトラフィックチャンネルを有する上記多重チャンネルデータ接続を通して遠隔の送信端から送信されたデータフレームを受信するように構成されており、且つ上記受信したデータフレームに含まれた順序情報に基づいて欠落したデータフレームを検出する際に、該欠落したデータフレームに対する再送信要求を、該欠落したフレームの検出後、Ｎ個の更なるフレームを受信するのに必要とされる時間に等しいか、またはそれより長い所定の時間期間内に該欠落したフレームが受け取られない場合に、送信するように構成されたことを特徴とする通信装置。
【請求項１１】
上記通信装置は、移動ステーションを備える請求項１０に記載の通信装置。
【請求項１２】
上記通信装置は、移動通信ネットワークにおけるインターワーキングファンクションを備える請求項１０に記載の通信装置。
【請求項１３】
上記通信装置は、上記時間期間を測定するタイマーを備え、該タイマーは、上記欠落したデータフレームが検出されるときにスタートされ、上記通信装置は、上記欠落したフレームが上記タイマーの経過する前に受け取られない場合に、再送信要求を送信するようにされている請求項１０または１１または１２に記載の通信装置。
【請求項１４】
上記時間期間のための値の１つは、３０ｍｓである請求項１０または１１または１２または１３に記載の通信装置。
【発明の詳細な説明】
発明の分野
本発明は、公称データ送信率が接続中に変化する非透過的データ接続に対してスライド窓流れ制御を行うデータ送信システムに係る。
先行技術の説明
回路切り換え接続における非透過的非同期データ送信では、データがフレーム又は「パケット」として送信者Ａから受信者Ｂへ送信される。実際のユーザデータに加えて、フレームは、受信者が送信エラーを検出しそしておそらく修正できるようにするために、エラー検出ビット及びエラー修正ビットの両方を備えている。又、各フレームは番号付けされるか、フレームの順序が別の種類の識別子により指示される。受信した各フレームの正確さが受信端においてテストされる。フレームが正しいと分かった場合に、受信者は、フレーム番号を送信することにより受信を確認する。フレームが正しくないと分かった場合には（例えば、送信エラーにより）、それ以上は処理されない（「破棄」される）。例えば、フレーム番号の不連続の場合に、否定確認（例えば、再送信要求）が送られる。正しいフレーム番号が、例えば、１、２、３、４及び５であると仮定する。しかしながら、フレーム３の後にフレーム５が続く場合には、フレーム４が欠落であり、フレーム４について否定確認が送られる。送信端は、否定確認を受け取るか、又は確認を全く受け取らないと、フレームを所定の回数だけ再送信する。全繰り返し数には限度があり、非常に悪い接続においてエンドレスの送信ループが形成されるのが回避される。
このような接続において、ユーザデータスループットは、接続の質と共に変化する。接続の質が低下すると、不正確及び失われたフレームの数が増加し、ひいては、繰り返し数が増加する。
フレームは、再送信が要求されたときに使用できるように、それらが確認されるまで送信端に記憶（バッファ）されねばならない。必要なバッファの量を制限するために、スライド窓に基づく流れ制御プロトコルが確認に使用される。流れ制御プロトコルによれば、送信者Ａは、受信者からの確認を要求する前に複数のデータフレームを送信することができる。窓は、送信はされたがまだ確認されていない次々のフレームのスライドシーケンス（送信窓）を表す。確認されないフレームの最大数は、窓サイズＷＳに等しい。受信者Ｂも、受信窓においてＷＳフレームを受信するように準備し、受信窓は、受入可能に受信できる次々のフレームのスライドシーケンスである。上記窓に適合したが正しい順序で到着していないフレームは、受信窓に集められる。フレーム１、２、５、６、７が受信されたと仮定する。フレーム１及び２の後に、窓が前方にスライドされるが、フレーム５、６、７は、受信窓に記憶され、欠落したフレーム３及び４を待機する。フレーム３及び４が到着すると、受信窓は、フレーム３、４、５、６及び７に対してスライドされる。受信端が１つ以上のフレームを確認すると、受信及び送信窓が対応フレーム数だけ前方にスライドされる。スライド窓により、送信チャンネルの公称データ送信容量を良好に使用することができ、送信端Ａが受信端から前のフレームの確認を受信するまで新たなフレームを送信しない場合よりも高いスループットを得ることができる。
通常、受信端Ｂは、上記フレーム番号又は別の種類の識別子により定められた正しい順序でフレームが到着すると仮定する。例えば、フレームＮ−１の直後のフレームＮ＋Ｍ（Ｍ＞０）の受信から推測されるフレームＮの欠落の場合には、従来のシステムでは、受信者Ｂが送信者Ａにフレームが存在しないことを直ちに通知する。その結果、送信者Ａは、フレームＮを再送信し、又、あるときは、それ以降のフレームが送信され受信されていても、番号Ｎからの送信シーケンスをスタートする。
時々、フレームは、間違った順序で受信者Ｂに到着することがある。フレームＮが送信経路において遅延されそして受信者ＢがフレームＮ−１の直後にフレームＮ＋Ｍ（Ｍ＞０）を受信した場合には、フレームＮが欠落したことを送信者Ａに直ちに知らせる。これは、フレームＮの不必要な再送信を生じ、ネットワークに混雑を引き起こす。
このような状態は、多数のフレームが一時的にグループとして一緒に送信されるデータ送信システムにおいて生じるか又は複数の半独立の平行なトラフィックチャンネルが使用される場合に生じる。あるフレームがあるグループから欠落した場合には、それが別のグループに移動される。しかしながら、このような遅延したフレームに対する再送信要求は、「欠落」フレームＮを実際に含む次のグループの到着前に送信されるか、又は受信者Ｂから送信されるべく待ち行列に入れられる。送信者がフレームＮを実際に含むグループを送信した後にその送信者に再送信要求が到着する場合には、送信者Ａは、受信者Ｂがフレームを受信していないと仮定し、それを再送信する。これは、送信システムに負荷を与え、送信プロトコルを混同させることがある。
上記形式によるデータ送信の一例は、ヨーロピアンデジタル移動通信システムＧＳＭにおける回路切り換え接続の非透過的非同期データ送信である。ここで、スライド窓流れ制御は、ＧＳＭ仕様０４．２２に基づく無線リンクプロトコルＲＬＰである。
移動通信システムの送信容量を制限する最も重要なファクタは、無線インターフェイスにおけるトラフィックチャンネルである。例えば、ＧＳＭシステムは、現在のところ、１つの全速度ＧＳＭトラフィックチャンネルの最大ユーザデータ送信レートである９．６ｋビット／ｓより大きなユーザデータ送信レートをサポートすることができない。
移動通信システムにおいてそれより高いユーザデータ送信レートを可能にする１つの解決策が、本出願人のフィンランド特許出願第９４２１９０号及び第９４５８１７号（本発明の優先権期日には公開されていない）に開示されている。この場合に、無線経路の２つ以上の並列なトラフィックチャンネル（サブチャンネル）が１つの高速データ接続用として割り当てられる。高速データ信号は、無線経路を経て送信するために送信端においてこれらの並列なサブチャンネルに分割され、そして受信端において再組み立てされる。これは、送信レートが、割り当てられたトラフィックチャンネルの数に基づき、従来（単一チャンネル）の送信レートに比して８倍にもなるようなデータ送信サービスを提供できる。例えば、ＧＳＭシステムでは、ＧＳＭシステムの既存の非透過的な９．６ｋビット／ｓのベアラサービスのようにレート適応の９．６ｋビット／ｓを各々サポートする２つの並列なサブチャンネルにより、１９．２ｋビット／ｓの全ユーザデータ送信レートが達成される。
従って、非透過的回路切り換えデータ接続は、無線インターフェイスに複数の並列なトラフィックチャンネルを備え、トラフィックチャンネルの数は、接続中に変化する。送信されるべきフレームは、Ｎ個のフレームのグループとしてＮ個の並列チャンネルに分割され、Ｎは接続中の変化である。従って、間違った順序でフレームを受信する上記の問題は、このようなマルチチャンネル送信接続において特に明らかである。
発明の要旨
本発明の目的は、上記問題を軽減又は排除することである。
これは、送信者と、受信者と、これら送信者と受信者との間の非透過的な回路切り換えデータ接続部と、該データ接続部に所定の順序でデータフレームを送信し、フレームに含まれた順序情報に基づいて受信データフレームの順序をチェックし、適切に受信したデータフレームの確認を行い、そして誤った又は欠落したデータフレームの再送信を行うことを含むデータ流制御プロトコルとを備えたデジタルデータ送信システムによって達成される。本発明によれば、このシステムは、送信者Ａがデータフレームを一時的にグループ分けすることができ、そして受信者Ｂが、次々の受信データフレームの２つに含まれた順序情報に基づき欠落データフレームを検出した際に、その欠落データフレームに対する再送信要求をその欠落フレームが後で送信されていないよう保証する遅延を伴って送信するように構成されたことを特徴とする。
本発明によれば、スライド窓流れ制御プロトコルを使用するデータ送信システムの受信者Ｂは、欠落フレームに対する再送信要求の送信を遅延Ｂの間だけ遅らせ、これにより、受信者Ｂは、欠落フレームが同じグループ又は次のグループにおいて後で送られるべく移動されないように確保する。欠落フレームが上記遅延内に同じグループ又は次のグループにおいて後で受信された場合には、再送信要求は送られない。欠落フレームが上記遅延内に受信されない場合、即ち次のグループにも見つからない場合は、その遅延が経過した後に再送信要求が送られる。これは、間違ったフレーム順序による不必要な再送信を排除し、ひいては、負荷又は混雑を招かないようにする。これは、データ接続に高いスループットを生じさせる。グループ分けが使用されない場合には、別の理由で遅延が必要とされない限り、再送信は遅延されない。
データ送信における一時的特徴は、例えば、データ送信レートを増加するためにＮ個の同時のそして並列なトラフィックチャンネルがデータ接続に割り当てられたときに一連のＮ個のフレームが次々に迅速に送信されることである。本発明の実施形態によれば、例えば、フレームが欠落したと分かった後にＮ個のその後のフレームが受信されるまで受信者が再送信要求を送らないので、再送信の回数がこの場合に著しく減少される。再送信要求は、欠落フレームＭの後にフレームＭ＋Ｎが受信されたときに送られ、ここで、Ｎは並列チャンネルの数である（他のフレームは、ＭとＭ1Ｎとの間に欠落する）。
【図面の簡単な説明】
以下、添付図面を参照して、本発明を詳細に説明する。
図１は、本発明が単一チャンネルの非透過的接続に適用された移動通信システムの一部分を示す図である。
図２は、本発明がマルチチャンネルの非透過的接続に適用された移動通信システムの一部分を示す図である。
図３は、受信者が欠落フレームを観察したときに再送信要求の送信を遅延する本発明の方法を示すフローチャートである。
好ましい実施形態の詳細な説明
本発明は、公称データ送信レートが接続中に変化する非透過的なデータ接続において調整可能な窓サイズをもつスライド窓流れ制御を用いた全てのデジタルデータ送信システムに使用することができる。
本発明は、ＴＤＭＡ又はＣＤＭＡ型のデジタル移動通信システム、例えば、ヨーロピアンデジタル移動通信システムＧＳＭ、ＤＣＳ１８００（デジタル通信システム）、ＥＩＡ／ＴＩＡ暫定規格ＩＳ／４１．３等に基づく移動通信システムおけるデータ送信の分野に特に適している。
本発明は、ＧＳＭ移動通信システムを一例として用いて以下に説明するが、これに限定されるものではない。ＧＳＭシステムの基本的構造部分が図１に示されているが、本発明においては、それらの特徴又はシステムの他の部分を詳細に説明する必要はなかろう。ＧＳＭシステムの詳細な説明については、ＧＳＭ仕様書及び文献「移動通信用のＧＳＭシステム（The GSM System for Moble Communications）」、Ｍ．モーリ＆Ｍ．ポーテット、パライゼウ、フランス、１９９２年、ＩＳＢＮ：２−９５０７１９０−０−７を参照されたい。
移動サービス交換センターＭＳＣは、入呼び及び出呼びを確立する。ＭＳＣは公衆交換電話回線（ＰＳＴＮ）の交換機と同様の機能を実行する。更に、ＭＳＣは、ネットワークの加入者レジスタ（図示せず）と協働して加入者位置管理のような移動電話トラフィックに典型的な機能のみを実行する。移動ステーションＭＳＣは、ベースステーションシステム（ＢＳＳ）を経てＭＳＣと通信する。ベースステーションシステムＢＳＳは、ベースステーションコントローラＢＳＣ及びベーストランシーバステーションＢＴＳより成る。
ＧＳＭシステムは、無線経路のトラフィックが時分割され、そして各々複数のタイムスロットで構成された次々に繰り返されるＴＤＭＡフレームにおいてトラフィックが生じるような時分割多重アクセス（ＴＤＭＡ）システムである。短い情報パケットは、各タイムスロットにおいて、変調されたビットのグループより成る限定巾の高周波バーストとして送信される。タイムスロットは、制御チャンネル及びトラフィックチャンネルを搬送するのに主として使用される。スピーチ又はデータ、トラフィックチャンネルにおいて送信される。ベースステーションと移動ステーションとの間の信号は、制御チャンネルに生じる。ＧＳＭシステムの無線インターフェイスに使用されるチャンネル構造は、ＧＳＭ仕様書０５．０２に詳細に説明されている。この仕様書によれば、１つの搬送波からの１つのタイムスロットが、通話の開始に、トラフィックチャンネル（単一スロットアクセス）として移動ステーションＭＳに指定される。移動ステーションＭＳは、高周波バーストを送信及び受信するためにタイムスロットと同期される。
ＧＳＭシステムでは、移動ステーションＭＳのターミナル適応ファンクションＴＡＦ３１と、固定ネットワークのインターワーキングファンクションＩＷＦ４１（通常は移動サービス交換センターＭＳＣに関連した）との間にデータ接続が確立される。このデータ接続は、無線インターフェイスからの１つ（以上）のトラフィックチャンネルを接続の全時間巾にわたって保持する回路切り換え接続である。ＧＳＭネットワークでは、このデータ接続は、Ｖ．２４インターフェイスに速度適応されるＶ．１１０適応デジタル接続である。ここに述べるＶ．１１０接続は、Ｖ．２４インターフェイスに適応されてＶ．２４状態（制御信号）を送信する機会を与えるＩＳＤＮ（サービス総合データ網）に対して最初に設計されたデジタル送信チャンネルである。Ｖ．１１０速度適応接続に対するＣＣＩＴＴ推奨勧告は、ＣＣＩＴＴブルーブックＶ．１１０に説明されている。Ｖ．２４インターフェイスのＣＣＩＴＴ推奨勧告は、ＣＣＩＴＴブルーブックＶ．２４に規定されている。ターミナル適応ファンクションＴＡＦは、移動ステーションＭＳに接続されたデータターミナル（図示せず）をＶ．１１０接続に適応させ、これは、図１においては、１つのトラフィックチャンネルｃｈ１を用いる回路切り換え接続を経て確立される。インターワーキングファンクションＩＷＦは、Ｖ．１１０接続を、ＩＳＤＮ又は別のＧＳＭネットワークのような別のＶ．１１０ネットワークに適応させるか、又は公衆交換電話回線ＰＳＴＮのような別の送信ネットワークに適応させる。
データは、ターミナル適応ファンクションＴＡＦと、インターワーキングファンクションＩＷＦとの間で、調整可能な窓サイズをもつスライド窓流れ制御を用いてフレーム又はパケットとして送信される。このスライド窓流れ制御はＧＳＭ仕様書０４．２２に基づく無線リンクプロトコル（ＲＬＰ）である。このプロトコルに基づくインターワーキングファンクションＩＷＦとの間のデータ送信は、インターワーキングファンクションＩＷＦが送信者Ａでありそしてターミナル適応ファンクションＴＡＦが受信者Ｂであることを仮定して以下に説明する。しかしながら、データ送信は、逆方向、即ちＴＡＦ−ＩＷＦの方向にも同様に行われることに注意されたい。
回路切り換え接続における非透過的非同期データ送信では、データがフレーム又は「パケット」として送信者Ａから受信者Ｂへ送信される。このようなフレームの一例がＧＳＭ仕様書０４．２２に開示されている。フレームは、実際のユーザデータに加えて、受信者が送信エラーを検出できるようにするエラー検出ビットを備えている。又、各フレームが番号付けされるか、又は別の種類の識別子によりフレームの順序が指示される。送信者Ａは、送信したフレームを、そのフレームが首尾良く受信されたという受信者Ｂからの確認を受け取るまで記憶し即ちバッファする。受信者Ｂは、各々の受信したフレームの正しさをテストする。フレームが正しいと分かった場合には、受信者は、フレーム番号を送信することにより受信を確認する。フレームが正しくない（例えば、送信エラーにより）と分かった場合には、それ以上の処理が行われない（「破棄」される）。否定的確認（例えば、再送信要求）は、例えば、フレーム番号が不連続である場合に送信される。例えば、正しいフレーム番号が１、２、３、４、５であると仮定する。しかしながら、フレーム３の後にフレーム５が続く場合には、フレーム４が省かれており、フレーム４に対する否定的確認が送信される。送信者Ａが否定的確認を受け取るか又は確認を全く受け取らないときには、確認を受け取るか又は最大数の再送信に達するまで、送信者Ａがフレームを再送信する。全繰り返し数は、非常に悪い接続においてエンドレスの送信ループの形成が回避されるように制御される。
送信者Ａは、複数のデータフレームを送信し、そして受信者Ｂからの確認を要求するまでそれらをバッファすることができる。送信はされたがまだ確認されていない次々のフレームのこのスライドシーケンスを、スライド送信窓と称する。未確認フレームの最大数は、窓サイズＷＳに等しい。同様に、受信者Ｂは、ＷＳフレームを受信窓において受け取る準備をし、この受信窓は、受け入れ可能に受信することのできる次々のフレームのスライドシーケンスである。上記窓に適合するが正しい順序で到着しないフレームは受信窓に集められる。フレームが１、２、５、６、７の順序で受け取られると仮定する。フレーム１及び２の後に、窓が前方にスライドされ、一方、フレーム５、６、７は、受信窓に記憶され、欠落フレーム３及び４を待機する。フレーム３及び４が到着すると、受信窓はフレーム３、４、５、６、７にわたってスライドされる。受信端が１つ以上のフレームを確認するときには、それに対応するフレーム数だけ受信および送信窓が前方にスライドされる。スライド窓により、送信チャンネルの公称データ送信容量が良好に利用され、送信端が受信端から前のフレームの確認を受け取るまで新たなフレームを送信しないときよりも高いスループットを得ることができる。
通常、受信者Ｂは、上記フレーム番号又は別の種類の識別子により定められた正しい順序でフレームが到着すると仮定する。上記のように、例えば、送信者により行われるプロセス及びマルチチャンネルデータ接続における種々の送信遅延により、受信フレームの順序が変化することがある。この場合、例えば、ＧＳＭ仕様に基づいて移動通信システムに使用される欠落フレームに対する即時再送信要求は、不必要な負荷、スループットの減少、及び混雑も引き起こす。
これは、受信者Ｂが欠落フレームに対する再送信要求の送信を遅延時間Ｄだけ遅らせて、欠落フレームが後で送られていないよう保証する本発明の実施形態の構成により排除される。又、再送信要求は、番号がＥ倍大きなフレームの受信まで遅延されてもよい（並列チャンネルの数をＮとすれば、Ｅ＞０であり、典型的に、Ｅ＝Ｎである）。次の受信グループにおいて欠落フレームが見つかった場合も、再送信要求は送られない。次のグループに欠落フレームが見つからない場合は、再送信要求が遅延Ｄを伴って送られる。これは、間違ったフレーム順序による不必要な再送信を排除し、それに伴う負荷又は混雑を排除する。その結果、データ接続のスループットが高くなる。グループ分けを使用しない場合には、別の目的で遅延が必要とされない限り再送信は遅延されない。
データ送信の一時的な特徴は、例えば、データ送信レートを増加するためにＮ個の同時で且つ並列なトラフィックチャンネルがデータ接続に割り当てられたときに、一連のＮ個のフレームが次々に迅速に送られることである。この場合に、フレームが欠落したと分かった後に、例えば、Ｎ個のその後のフレーム即ち新たなフレームグループが受信されるまで、受信者が再送信要求を送信しないので、再送信要求の数が著しく減少される。
本出願人のフィンランド特許出願第９４２１９０号及び第９４５８１７号は、１つのトラフィックチャンネルで与えることのできるデータ送信レート（９６００ビット／ｓ）より高いレートを必要とする移動ステーションＭＳに同じＴＤＭＡフレームの２つ以上のタイムスロットが指定される手順を開示している。マルチチャンネルデータ接続の最大ユーザデータ送信レートは、並列トラフィックチャンネルの数と、１つのトラフィックチャンネルのユーザデータ送信レート９６００ビット／ｓとの積である。このように、例えば、１９２００ビット／ｓのユーザレートが２つのトラフィックチャンネルに最小値として与えられる。この手順は、本発明においては、無線システムの複数の並列トラフィックチャンネルに基づく高レートデータ送信を実施する方法の一例として記載する。この手順の詳細については、上記特許出願を参照されたい。しかしながら、本発明に関しての本質的な要件は、マルチチャンネル送信接続を確立できることだけであり、そして本発明は、このようなマルチチャンネル接続の送信容量がトラフィックチャンネルの数の増加又は減少により変化するので、受信端Ｂでの遅延Ｄの調整のみに向けられることに注意されたい。
図２は、多数の並列トラフィックチャンネルのグループを使用するデータ送信サービスを実施するＧＳＭネットワークのアーキテクチャーを示す。図２は図１と同様であるが、図２では、Ｎ個の並列トラフィックチャンネルｃｈ１−ｃｈｎ（Ｎ＝１、２・・・）を含む回路切り換え非透過的接続がターミナル適応ファンクションＴＡＦとインターワーキングファンクションＩＷＦとの間に存在する。移動ステーションにおいて、ネットワークターミナル３１は、分割器として働いて、データターミナル装置から受け取った高レートのデータ信号ＤＡＴＡ  ＩＮを並列なトラフィックチャンネルｃｈ１−ｃｈｎに分割すると共に、合成器としても働いて、並列なトラフィックチャンネルｃｈ１−ｃｈｎから受け取った低レートの部分信号を高レートのデータ信号ＤＡＴＡ  ＯＵＴへと合成する。対応的に、マルチチャンネルデータ接続の他端においては、インターワーキングファンクションＩＷＦが分割器として働き、到来する高レートのデータ信号ＤＡＴＡ  ＩＮを並列なトラフィックチャンネルｃｈ１−ｃｈｎに分割すると共に、合成器としても働いて、並列なトラフィックチャンネルｃｈ１−ｃｈｎから受け取った低レートの部分信号を高レートのデータ信号ＤＡＴＡ  ＯＵＴへと合成する。
マルチチャンネルデータ接続においては、データ接続の一時的特徴は、Ｎ個のフレームがＮ個の並列なトラフィックチャンネルを経て即ちＮ個のフレームのグループにおいて次々に迅速に送信されることである。更に、データ接続中にデータ接続の送信容量が変化するときにグループ分けも変化する。公称送信容量の変化は、接続に割り当てられる無線チャンネルの数の変化、又は１つ以上のトラフィックチャンネルの公称送信レートの変化を伴う。トラフィックチャンネルは、一般に、移動サービス交換センターＭＳＣ、好ましくはその通信制御ユニット４２により割り当て及び割り当て解除され、即ちデータ接続に追加されたりそこから除去されたりし、通信制御ユニット４２は、次いで、割り当てられたトラフィックチャンネルを経て移動ステーションＭＳ、好ましくはその通話制御器３２へ情報を送信する。本発明の観点から、トラフィックチャンネルをデータ接続に割り当てる手順、或いは割り当てに関するユニット又はファンクションは、要旨ではない。本発明に関する限り、使用される遅延Ｄに関する情報、例えば、各特定の時間に送信者Ａにより使用されるフレームのグループ分けに関する情報、或いは使用されるフレームグループ、例えば、データ接続に割り当てられるトラフィックチャンネルの数の推定に関する情報が受信者Ｂ（ＩＷＦ又はＴＡＦ）に直接的又は間接的に与えられることだけが重要である。図２に示す例では、通話制御ユニット４２は、各特定の時間に使用される公称送信容量に関する情報をＩＷＦへ送信し、そして通話制御ユニット３２は、ＴＡＦへ送信する。ＩＷＦ及びＴＡＦは、使用中の送信容量に基づき遅延Ｄを適応させる。或いは又、データ送信の当事者は、例えば、遅延時間の長さに関して交渉してもよい。
図３は、ターミナル適応ファンクションＴＡＦ又はインターワーキングファンクションＩＷＦにおいて本発明による遅延を実施することのできる手順の一例を示すフローチャートである。
図３において、ＦＮは、受信したフレームから得られるフレーム番号であり、ＦＣは、フレームカウンタであり、そしてＤは、本発明による遅延、即ちＤ個のフレームである。図３の例において、正しいフレーム送信及び受信順序は、フレーム番号に合致すると仮定する。
ステップ３００において、データ接続が初期化されるか又は送信者がグループ分けを変更する。受信者Ｂは、グループ分けに関する情報、或いはグループ及び遅延Ｄ、例えば、トラフィックチャンネルの数を推定するベースとなる情報を受け取る。
ステップ３０１において、フレームが予想され、そしてステップ３０２において、フレームＦＮが受信される。ステップ３０３において、フレームが、データ接続の最後のフレームであることを指示する情報を含むかどうかのチェックが行われる。もしそうであれば、ステップ３０４において受信が終了となる。或いは又、接続の終了に関する情報は、データフレーム以外の手段によって受信されてもよい。
フレームが最後のフレームでない場合には、次のステップが３０５となる。ステップ３０５において、受信したフレームのフレーム番号ＦＮが、１だけ増加されたフレームカウンタＦＣの読みであるかどうかのチェックが行われる。ＦＮがＦＣ＋１でない場合には、フレームＦＮは正しい順序で受信されていない。この場合、フレームＦＮは、未確認フレームのリストに追加される。このリストは、受信しているが間違った順序で到着しているために送信者Ａに確認していない全てのフレームを含む。ステップ３１３の後に、ステップ３１４が続く。
ステップ３１４において、フレーム番号ＦＮがフレームカウンタＦＣと本発明による遅延Ｄとの和より大きいかどうかのチェックが行われる。ＦＮ＞ＦＣ＋Ｄの場合には、ＦＣ＋１が受信されて以来、Ｄ個のフレームの時間巾が経過している。従って、次のステップは３１５であり、受信者Ｂは、フレームＦＣ＋１の再送信要求を送信者Ａに送信する。その後、ステップ３０１へと続き、新たなフレームが予想される。ＦＮ≦ＦＣ＋Ｄの場合には、本発明による遅延がまだ経過しておらず、従って、次のステップは、３０１であり、新たなフレームが予想される。
ステップ３０５においてフレーム番号ＦＮ＝ＦＣ＋１であり、即ちフレームが正しい順序で受け取られた場合は、次のステップが３０６であり、フレームカウンタが１だけ増加される。次いで、受信者Ｂは、フレームＦＣ（ＦＮに等しい）の確認を送信者Ａに送信する。
次いで、ステップ３０８において、未確認フレームのリストにフレームが存在するかどうかのチェックが行われる。もし存在しなければ、プロセスはステップ３０１に復帰し、新たなフレームを予想する。もし存在すれば、次のステップは３０９である。
ステップ３０９において、フレームＦＣ＋１が未確認フレームのリストに存在するかどうかのチェックが行われる。もし存在しなければ、プロセスはステップ３０１に復帰し、フレームを予想する。もし存在すれば、次のステップは３１０である。
ステップ３１０において、フレームカウンタＦＣが増加され、次いで、受信者Ｂは、ステップ３１１において、フレームＦＣ＋１の確認を送信者Ａに送信し、そしてステップ３１２において、未確認フレームのリストからフレームＦＣ＋１を除去する。その後、プロセスは、ステップ３０９へ復帰する。
遅延Ｄは、受信フレームの数として定義することもできる。例えば、７個のＴＤＭＡフレームが受け取られる時間周期として一定遅延時間Ｄ＝３０ｍｓが定義され、即ち再送信要求が７個のＴＤＭＡフレームだけ遅延される。遅延は、受け取ったＴＤＭＡフレームをカウントすることにより測定される。
フレームカウンタに代わって、例えば、タイマーを使用して、欠落フレームを受信しているべきときからの遅延時間Ｄを測定してもよい。タイマーは、欠落フレームが検出されたときにスタートされる。タイマーが経過するまでに（遅延Ｄ以内に）欠落フレームが受け取られない場合には、再送信要求が送信者Ａへ送信される。タイマーが経過するまでに（遅延Ｄ以内に）欠落フレームが受け取られる場合には、確認が送信者Ａへ送られる。しかしながら、本発明の基本的な考え方として、再送信要求の送信がフレームカウンタにより遅延されるか、タイマーにより遅延されるか、或いは別の手段により遅延されるかには関わりないことに注意されたい。
以上、本発明を好ましい実施形態について説明したが、これは、本発明を単に説明するものに過ぎず、請求子範囲に規定された本発明の精神及び範囲から逸脱せずに種々の変更や修正がなされ得ることが当業者に明らかであろう。
【図１】
0003727066.tif 000002
【図２】
0003727066.tif 000003
【図３】
0003727066.tif 000004